【手続補正書】
【提出日】平成20年8月13日(2008.8.13)
【手続補正１】
【補正対象書類名】特許請求の範囲
【補正対象項目名】全文
【補正方法】変更
【補正の内容】
【特許請求の範囲】
【請求項１】
ティートカップの内側に細長いティートカップライナを備え、前記ティートカップライナは搾乳吸引システムと集乳容器に連通する基部と、動物の乳首に接する先端部を有している雌牛や山羊などの家畜の搾乳のための電子吸引圧脈動装置であって、前記ティートカップライナは、
（ａ）１以上の環部材によって囲まれた複数の区画室を有し、前記環部材はゴム等の高分子弾性体のスリーブ構造をなして吸乳時にライナが押しつぶれないようにすると共に、膨縮環部材は前記環部材の一つずつあるいは複数ずつ順々に収縮乃至拡張し、
（ｂ）複数の吸引弁を設けた吸引ダクトを有し、前記吸引ダクトの吸入口を有効な真空源に連通させ、且つ、各弁を１以上の環部材に接続し、脈動装置が司る所定の脈動制御に従って前記高分子弾性体のゴム状スリーブの可逆的膨縮を行うようにしてなり、
真空圧あるいは空気圧を、真空源あるいは空圧源から吸引ダクトおよび吸引弁を経て先端から基部への方向に区画室に供給し、環部材の膨張および反転吸引によって区画室が乳房からのミルクで充満された状態で環部材を収縮させて吸引脈動を終結し、引き続いて新たな搾乳サイクルが始まって乳房が空になるまで繰り返すことを特徴とした電子吸引圧脈動装置。
【請求項２】
前記ティートカップライナにおいて、環部材および区画室の一方または両方は、仕切室、部屋、膨縮部材などから選ばれた手段であって、規定の開期および閉期の直径およびサイズに膨縮を可逆的に繰り返すことを特徴とした請求項１に記載の電子吸引圧脈動装置。
【請求項３】
前記ティートカップライナにおいて、複数Ｎ個の区画室を有し、Ｎは２以上の整数であり、前記複数の区画室が二次元的若しくは三次元的配列の区画室、小区画、結合室およびそれらの組合せにしたことを特徴とする請求項１に記載の電子吸引圧脈動装置。
【請求項４】
雌牛や山羊などの家畜の搾乳のための電子吸引圧脈動装置におけるティートカップ内に設けられる細長いティートカップライナであって、吸引システムと集乳容器に連通する基部と、動物の乳首に接続する先端部を有し、
（ａ）１以上の環部材によって囲繞された複数の区画室を有し、前記環部材はゴムのような高分子弾性体のスリーブ構造をなして吸乳時にライナが押しつぶれないようにすると共に、膨縮環部材は前記環部材の一つずつあるいは複数ずつ順々に収縮乃至拡張し、
（ｂ）複数の吸引弁を設けた吸引ダクトを有し、前記吸引ダクトの吸入口を有効な真空源に連通させ、且つ、各弁を１以上の環部材に接続し、脈動装置が司る所定の脈動制御に従って前記高分子弾性体のゴム状スリーブの可逆的膨縮を行うようにしてなり、
真空圧あるいは空気圧を、真空源あるいは空圧源から吸引ダクトおよび吸引弁を経て先端から基部への方向に区画室に供給し、環部材の膨張および反転吸引によって区画室が乳房からのミルクで充満された状態で環部材を収縮させて吸引脈動を終結し、引き続いて新たな搾乳サイクルが始まって乳房が空になるまで繰り返すことを特徴とするティートカップライナ。
【請求項５】
図面１乃至９で定義したティートカップライナ。
【請求項６】
請求項１およびそのいずれかの従属項に記載の電子吸引圧脈動装置を用いた家畜搾乳方法であって、吸引脈動を複数のゴムのような高分子弾性体のスリーブ区画室に供給して真空源あるいは空圧源から吸引ダクトおよび吸引弁を経て真空圧あるいは空気圧を先端から基部への方向に吸引脈動を複数のゴムのような高分子弾性体のスリーブ区画室に供給し、環部材の膨張および反転吸引によって区画室が乳房からのミルクで充満された状態で環部材を収縮させて吸引脈動を終結し、引き続いて新たな搾乳サイクルが始まって乳房が空になるまで繰り返すことを特徴とした家畜搾乳方法。
【請求項７】
本発明で定義したティートカップライナを用いた家畜搾乳方法。
【手続補正２】
【補正対象書類名】明細書
【補正対象項目名】０００１
【補正方法】変更
【補正の内容】
【０００１】
本発明は、自動搾乳システムに関するもので、特に、ティートカップおよびライナに関するもので、更に、本発明は、前記ライナで家畜からの搾乳を自動で行うアセンブリ、及び、それによる搾乳方法に関するものである。
【手続補正３】
【補正対象書類名】明細書
【補正対象項目名】００１２
【補正方法】変更
【補正の内容】
【００１２】
ここに開示の本発明は、搾乳ミルクを集乳タンクに送出させる際にミルクを乳牛の乳房に逆流させないようにしたものであって、従来の搾乳機の主脈動装置に電子タイミング装置を接続することで従来の搾乳機の各搾乳吸引工程を３つの二次脈動に分ける手段を実現することができ、これによって前記課題を達成できる。真空吸引工程を複数の補助脈動に分化して、図４乃至図１０に示すように、電子弁によってゴム製スリーブの必要箇所に所要の吸引圧を作用させる。本発明の方法によれば、ミルクの乳房への逆流を防止でき、商業的に広く利用されている伝統的な搾乳技術を排他するのではなく効果的に且つ経済的に問題を解決することができる。
本発明の目的は、雌牛や山羊などの家畜の搾乳のための電子吸引圧脈動装置におけるティートカップ内に設けられる細長いティートカップライナを提供することにある。このティートカップライナは、吸引システムと集乳容器に連通する基部と、動物の乳首に接続する先端部を有し、
（ａ）１以上の環部材によって囲繞された複数の区画室を有し、前記環部材はゴムのような高分子弾性体のスリーブ構造をなして吸乳時にライナが押しつぶれないようにすると共に、膨縮環部材は前記環部材の一つずつあるいは複数ずつ順々に収縮乃至拡張し、且つ、
（ｂ）吸引ダクトに複数の吸引弁を設けて吸引ダクトの吸入口を有効な真空源に連通させて各弁を１以上の環部材に接続し、脈動装置が司る所定の脈動制御に従って前記高分子弾性体のゴム状スリーブの可逆的膨縮を行うようにしてなり、
真空圧あるいは空気圧を、真空源あるいは空圧源から吸引ダクトおよび吸引弁を経て先端から基部への方向に区画室に供給し、環部材の膨張および反転吸引によって区画室が乳房からのミルクで充満された状態で環部材を収縮させて吸引脈動を終結し、引き続いて新たな搾乳サイクルが始まって乳房が空になるまで繰り返すことを特徴とする。
本発明のもう一つの目的は、前記ティートカップライナにおいて、環部材および区画室の一方または両方は、仕切室、部屋、膨縮部材などから選ばれた手段であって、規定の開期および閉期の直径およびサイズに膨縮を可逆的に繰り返すことを特徴とするティートカップライナを提供することにある。
本発明の他の目的は、前記ティートカップライナにおいて、複数Ｎ個の区画室を有し、Ｎは２以上の整数であり、前記複数の区画室が二次元的若しくは三次元的配列の区画室、小区画、結合室およびそれらの組合せにしたことを特徴とするティートカップライナを提供することにある。
本発明の目的は、前記ティートカップライナを用いた家畜搾乳方法であって、吸引脈動を複数のゴムのような高分子弾性体のスリーブ区画室に供給して真空源あるいは空圧源から吸引ダクトおよび吸引弁を経て真空圧あるいは空気圧を先端から基部への方向に吸引脈動を複数のゴムのような高分子弾性体のスリーブ区画室に供給し、環部材の膨張および反転吸引によって区画室が乳房からのミルクで充満された状態で環部材を収縮させて吸引脈動を終結し、引き続いて新たな搾乳サイクルが始まって乳房が空になるまで繰り返すことを特徴とする家畜搾乳方法を提供することにある。
【手続補正４】
【補正対象書類名】明細書
【補正対象項目名】００２４
【補正方法】変更
【補正の内容】
【００２４】
本発明の一実施例におけるティートカップの側面断面を概略的に示した図１を参照して説明すると、ティートカップの内部には各区画室毎に膨縮する新規なティートカップライナ１を備えており、ミルク吸引時に潰れないように複数箇所のスリーブの高分子弾性体構造体（以下「リング」と称する）を細い骨格状のリングを用いて環部材（１ａ）の形態に広げて区画室１ｆ〜１ｈを形成している。細長いティートカップ１は動物の乳首基部１ｂに接する先端部と、吸引装置に接続される基部（アダプタ１ｅ）を備えている。また、ティートカップライナ１は、細長い開腔ネック部１ｃと基枠部１ｄを有している。
【手続補正５】
【補正対象書類名】図面
【補正対象項目名】図３
【補正方法】変更
【補正の内容】
【図３】
2008509697.tif 000001